(57)【要約】【課題】ラベルの貼り忘れやラベルの混入等を、容易に検出できるようにする。【解決手段】感熱記録体１は、裏面に第１粘着剤層２が設けられた第１基材３と、表面に感熱記録層６が設けられた第２基材５とを備え、第１基材３の表面側と、第２基材５の裏面側とが、第２粘着剤層４を介して貼り合されており、第１基材３が、金属層を有する。当該感熱記録体１をラベルとして使用した場合に、金属探知機を通過させることによって、ラベルの貼り忘れやラベルの混入等を、容易に検出できる。【選択図】図１
2017185679.tif 000002
【特許請求の範囲】
【請求項１】
一方の面側に粘着剤層が設けられた第１基材と、
一方の面側に感熱記録層が設けられた第２基材とを備え、
前記第１基材の他方の面側と前記第２基材の他方の面側とが、貼り合されており、
前記第１基材が、金属層を有する、
ことを特徴とする感熱記録体。
【請求項２】
前記第１基材が、前記金属層からなり、
前記金属層の裏面に前記粘着剤層が形成されており、
前記第２基材の表面に前記感熱記録層が形成されており、
前記金属層の表面側と前記第２基材の裏面側とが、接着剤層又は粘着剤層を介して貼り合されている、
請求項１に記載の感熱記録体。
【請求項３】
前記金属層が、金属箔である、
請求項１または２に記載の感熱記録体。
【請求項４】
前記第１基材の前記一方の面側の前記粘着剤層の表面を覆う剥離紙を備える、
請求項１ないし３のいずれかに記載の感熱記録体。
【発明の詳細な説明】
【技術分野】
【０００１】
本発明は、感熱記録体に関し、更に詳しくは、金属層を有する感熱記録体に関する。
【背景技術】
【０００２】
感熱記録体は、サーマルヘッド等の加熱によって化学反応により発色し、記録画像が得られるものであり、ファクシミリや自動券売機、科学計測機の記録用媒体としてだけではなく、小売店等のＰＯＳシステムの感熱記録ラベルなどとして広範な用途に使用されている(例えば特許文献１参照)。
【先行技術文献】
【特許文献】
【０００３】
【特許文献１】特開２００２−３６２０２７号公報
【発明の概要】
【発明が解決しようとする課題】
【０００４】
ところで、ラベルには、包装品等に手作業で貼付される場合があり、作業者が誤ってラベルを貼り忘れることがある。
【０００５】
また、包装品中、例えば、食品中にラベルやラベルの破片が混入することがある。
【０００６】
本発明は、このような実情に着目してなされたものであって、ラベルの貼り忘れやラベルの混入等を、容易に検出できるようにすることを目的とする。
【課題を解決するための手段】
【０００７】
上記目的を達成するために、本発明では次のように構成している。
【０００８】
（１）本発明の感熱記録体は、一方の面側に粘着剤層が設けられた第１基材と、一方の面側に感熱記録層が設けられた第２基材とを備え、前記第１基材の他方の面側と前記第２基材の他方の面側とが、貼り合されており、前記第１基材が、金属層を有する。
【０００９】
第１基材は、金属層を有するものであればよく、したがって、金属層のみを有する、すなわち、第１基材が金属層であってもよく、あるいは、紙や合成フィルム等の基材に金属層が設けられたものなどであってもよい。
【００１０】
本発明の感熱記録体によると、第１基材が、金属層を有するので、当該感熱記録体をラベルとして使用した場合には、金属探知機を通過させることによって、ラベルの有無を容易に検出することができる。
【００１１】
これによって、例えば、ラベルを、包装品等に手作業で貼付するような場合のラベルの貼り忘れ、あるいは、包装品である食品中へのラベルやラベルの破片の混入等を、金属探知機を使用して容易に検出することができる。
【００１２】
（２）本発明の好ましい実施態様では、前記第１基材が、前記金属層からなり、前記金属層の裏面に前記粘着剤層が形成されており、前記第２基材の表面に前記感熱記録層が形成されており、前記金属層の表面側と前記第２基材の裏面側とが、接着剤層又は粘着剤層を介して貼り合されている。
【００１３】
この実施態様によると、第１基材である金属層の表面側に、感熱記録層が表面に形成されている第２基材の裏面側が、接着剤層又は粘着剤層を介して貼り合されているので、上層の感熱記録層に良好な記録印字を行うことが可能である。
【００１４】
（３）本発明の他の実施態様では、前記金属層が、金属箔である。
【００１５】
この実施態様によると、金属層を金属の蒸着によって形成するのに比べて製造コストを低減することができる。
【００１６】
（４）本発明の他の実施態様では、前記第１基材の前記一方の面側の前記粘着剤層の表面を覆う剥離紙を備える。
【００１７】
この実施態様によると、当該感熱記録体をラベルとして使用する場合に、剥離紙を剥がして包装品等に貼付することができる。
【発明の効果】
【００１８】
本発明によれば、第１基材が、金属層を有するので、当該感熱記録体をラベルとして使用した場合には、金属探知機を通過させることによって、ラベルの有無を検出することができる。
【００１９】
これによって、例えば、ラベルを、包装品等に手作業で貼付するような場合のラベルの貼り忘れ、あるいは、包装品である食品中へのラベルやラベルの破片の混入等を、金属探知機を使用して容易に検出することができる。
【図面の簡単な説明】
【００２０】
【図１】図１は本発明の一実施形態の感熱記録体の概略断面図である。
【図２】図２は本発明の他の実施形態の感熱記録体の概略断面図である。
【発明を実施するための形態】
【００２１】
以下、本発明の実施形態を図面に基づいて詳細に説明する。
【００２２】
図１は、本発明の一実施形態の感熱記録体の概略断面図である。
【００２３】
この実施形態の感熱記録体１は、一方の面である裏面に第１粘着剤層２が設けられた第１基材３の表面側と、一方の面である表面に感熱記録層６が設けられた第２基材５の裏面側とが、第２粘着剤層４を介して貼り合せされている。
【００２４】
したがって、この感熱記録体１は、第１粘着剤層２と、第１基材３と、第２粘着剤層４と、第２基材５と、感熱記録層６とが、この順序で積層された構造となっている。
【００２５】
第１基材３は、金属層を有するものであり、この第１基材３を、例えば、アルミニウム等の金属箔からなる金属層で構成してもよいし、あるいは、紙や合成樹脂フィルム等の基材に、金属蒸着膜や金属粉末を主成分とする塗膜等の金属層を設けたり、金属箔を貼り合せた構成としてもよい。
【００２６】
この実施形態では、第１基材３は、例えば、アルミニウム箔、スズ箔等の金属箔からなる。
【００２７】
第１粘着剤層２の粘着剤としては、タック紙等に使用される従来の粘着剤を使用することができる。かかる粘着剤としては、例えば、エマルジョン系（粘着剤を水に分散したもの）、ソルベント系（粘着剤を溶剤に溶解したもの）、ホットメルト系（熱可塑性を利用したもの）等である。材質としては、合成ゴム系や天然ゴム系、アクリル樹脂系、ポリビニルエーテル樹脂系、ウレタン樹脂系、シリコーン樹脂系等の粘着剤があげられる。ホットメルト系の粘着剤はゴム系でもアクリル系でもよい。
【００２８】
第２粘着剤層４は、第１粘着剤層２が形成された金属層からなる第１基材３と、感熱記録層６が形成された基材５とを貼り合せるものであり、従来公知の粘着剤、例えば、アクリル系ポリマー、シリコーン系ポリマー、ポリエステル、ポリウレタン、ポリアミド、ポリビニルエーテル、酢酸ビニル／塩化ビニルコポリマー、変性ポリオレフィン、エポキシ系、フッ素系、天然ゴム、合成ゴム等のゴム系などのポリマーをベースポリマーとするものを適宜に選択して用いることができる。
【００２９】
なお、第２粘着剤層４に換えて、接着剤層を設けてもよい。
【００３０】
第２基材５は、特に制限はなく、従来公知のものを使用することができ、紙、あるいは、フィルムであってもよく、例えば上質紙、アート紙、コート紙、クラフト紙、これらの紙基材にポリエチレンなどの熱可塑性樹脂をラミネートしたラミネート紙などの紙類、合成紙、アルミニウム箔や銅箔や鉄箔などの金属箔、不織布などの多孔質材料、更にはポリエチレン、ポリプロピレン、各種オレフィン系共重合体などのポリオレフィン系樹脂、ポリエチレンテレフタレート、ポリエチレンナフタレートなどのポリエステル系樹脂、ポリスチレン系樹脂、ポリ塩化ビニル系樹脂、アクリル系樹脂、ポリカーポネート系樹脂、ポリアミド系樹脂、フッ素系樹脂及びこれらの樹脂の混合物又は積層物からなるプラスチックシート等を挙げることができる。
【００３１】
感熱記録層６を形成する材料としては、加熱により発色する発色剤、顕色剤、充填剤、結着剤（バインダー）の他に、増感剤、滑剤などを含有させることができる。
【００３２】
発色剤としては、一般に使用されている公知の発色剤を用いることができ、例えば、フルオラン系化合物、トリアニルメタン系化合物、トリフェニルメタン系化合物、チアジン系化合物、スピロピラン系化合物、ラクタム系化合物、オーラミン系化合物、インドリノフタリド系化合物等のロイド化合物等が挙げられる。上記発色剤は、１種のみを用いてもよく、２種以上を組み合わせて用いてもよい。
【００３３】
また、上記の顕色剤としては、一般に使用されている公知の顕色剤を用いることができ、例えば、安息香酸等の有機酸、サリチル酸亜鉛等の有機酸の金属塩系化合物、ｐ−オクチルフェノール等のフェノール系、４−４´チオビス（６−ターシャルブチル−２−メチルフェノール）等のチオフェノール系化合物、Ｎ−Ｎ´−ジフェニルチオ尿素等のチオ尿素誘導体、３，３´−ジアリル−４，４´−ジヒドロキシジフェニルスルホン等のジフェニルスルホン系化合物等が挙げられる。上記顕色剤は１種のみを用いてもよく、２種以上を組み合わせて用いてもよい。
【００３４】
感熱記録層６の結着剤（バインダー）としても、一般に使用されている公知のものを用いることができ、例えば、種々の水溶性高分子化合物や水分散性樹脂を用いることができる。
【００３５】
感熱記録層６に含有させる増感剤や滑剤なども、一般に使用されている公知のものを用いることができる。
【００３６】
この実施形態の感熱記録体１は、第１基材３が金属層からなるので、当該感熱記録体１をラベルとして使用した場合に、金属探知機を通過させることによって、ラベルの有無を検出することができる。
【００３７】
これによって、例えば、ラベルを包装品に手作業で貼付する場合などにおけるラベルを貼り忘れ、包装品である食品中へのラベルやラベルの破片の混入、ラベルの剥がし忘れ等を、金属探知機によって容易に検出することが可能となる。
【００３８】
また、感熱記録層６を有するので、サーマルプリンタによって感熱記録することができる。感熱記録層６は、第２基材５上に形成されている、すなわち、感熱記録層６と金属層からなる第１基材３との間には、第２粘着剤層４及び第２基材５が設けられているので、例えば、金属層からなる第１基材３上に、感熱記録層を形成する構成のように、感熱記録層にピンホール等の欠陥があったようにときに、サーマルプリンタのサーマルヘッドと金属層との間にスパークが生じるといったこともない。
【００３９】
また、金属層からなる第１基材３上に形成される第２粘着剤層４、第２基材５及び感熱記録層６を、透明とすることによって、第１基材３の金属層を、視認することが可能となる。これによって、ラベルとして使用した場合に、金属層の有する金属光沢によって、高級感を付与したり、人目を引くアイキャッチ効果を高めることができる。
【００４０】
本発明の感熱記録体１は、上記図１の構成に限るものではなく、他の層を設けてもよく、例えば、図２に示すよう、感熱記録層６上に、保護層７を形成してもよいし、第１粘着剤層２の表面を覆う剥離紙８を設けてもよい。
【符号の説明】
【００４１】
１              感熱記録体
２              第１粘着剤層
３              第１基材
４              第２粘着剤層
５              第２基材
６              感熱記録層
７              保護層
８              剥離紙
【図１】
2017185679.tif 000003
【図２】
2017185679.tif 000004